【手続補正書】
【提出日】平成19年3月15日(2007.3.15)
【手続補正１】
【補正対象書類名】明細書
【補正対象項目名】特許請求の範囲
【補正方法】変更
【補正の内容】
【特許請求の範囲】
【請求項１】
第１の次元を有する現実世界の信号である第１の信号が、センサに射影され、前記センサによって検出することで得た前記第１の次元より少ない第２の次元の第２の信号を取得する取得手段と、
前記第２の信号に基づく信号処理を行うことにより、射影により埋もれた有意情報を前記第２の信号から抽出する信号処理手段と
を備えることを特徴とする信号処理装置。
【請求項２】
前記有意情報は、射影により生じた歪を調整するための情報である
ことを特徴とする請求項１に記載の信号処理装置。
【請求項３】
前記センサは、それぞれ時間積分効果を有する複数の検出素子からなるセンサであって、
前記取得手段は、前記センサによって検出された個々の前記検出素子に対応する複数の検出信号を前記第２の信号として取得し、
前記歪は、時間積分効果による歪である
ことを特徴とする請求項２に記載の信号処理装置。
【請求項４】
前記取得手段は、所定時間単位毎に前記センサの複数の検出素子で検出された複数の時間単位の前記複数の検出信号を取得し、
前記信号処理手段は、前記複数の時間単位の複数の検出信号に基づいて、所望の時間の前記第２の信号に対する前記有意情報を抽出する
ことを特徴とする請求項３に記載の信号処理装置。
【請求項５】
前記第２の信号は、画像信号である
ことを特徴とする請求項１に記載の信号処理装置。
【請求項６】
前記信号処理手段は、前記第２の信号のうち、前記射影により埋もれた有意情報を含む有意領域と他の領域とを特定し、特定された領域を示す領域情報を前記有意情報として出力する領域特定手段を備えることを特徴とする請求項１に記載の信号処理装置。
【請求項７】
前記領域情報は、前景オブジェクトを構成する前景オブジェクト成分のみからなる前記他の領域である前景領域と、背景オブジェクトを構成する背景オブジェクト成分のみからなる前記他の領域である背景領域と、前記前景オブジェクト成分と前記背景オブジェクト成分とが混合されてなる前記有意領域である混合領域を示す
ことを特徴とする請求項６に記載の信号処理装置。
【請求項８】
前記領域情報は、前記混合領域をカバードバックグラウンド領域とアンカバードバックグラウンド領域とに識別する情報を含む
ことを特徴とする請求項７に記載の信号処理装置。
【請求項９】
前記信号処理手段は、前記領域特定手段により特定された前記有意情報を含む領域から前記有意情報を抽出する有意情報抽出手段をさらに備えることを特徴とする請求項６に記載の信号処理装置。
【請求項１０】
前記有意情報は、前景オブジェクトを構成する前景オブジェクト成分のみからなる前景領域と、背景オブジェクトを構成する背景オブジェクト成分のみからなる背景領域と、前記前景オブジェクト成分と前記背景オブジェクト成分とが混合されてなる混合領域からなる前記第２の信号のうちの前記混合領域における前記前景オブジェクト成分と前記背景オブジェクト成分の混合比を示す
ことを特徴とする請求項９に記載の信号処理装置。
【請求項１１】
前記信号処理手段は、前記有意情報に基づいて、前記射影により前記第２の信号に生じている歪の量を調整する歪量調整手段をさらに備えることを特徴とする請求項９に記載の信号処理装置。
【請求項１２】
前記歪量調整手段は、前記歪の量を低減する
ことを特徴とする請求項１１に記載の信号処理装置。
【請求項１３】
前記歪量調整手段は、前記歪を除去する
ことを特徴とする請求項１１に記載の信号処理装置。
【請求項１４】
前記歪が、前記前景オブジェクトに生じている動きボケである
ことを特徴とする請求項１１に記載の信号処理装置。
【請求項１５】
前記信号処理手段は、前記前景オブジェクトの動き量を検出するオブジェクト動き検出手段をさらに備え、
前記歪量調整手段は、前記前景オブジェクトの動き量に基づいて、前記歪である動きボケの量を調整する
ことを特徴とする請求項１４に記載の信号処理装置。
【請求項１６】
前記信号処理手段は、前景オブジェクトを構成する前景オブジェクト成分のみからなる前景領域と、背景オブジェクトを構成する背景オブジェクト成分のみからなる背景領域と、前記前景オブジェクト成分と前記背景オブジェクト成分とが混合されてなる混合領域とからなる前記第２信号のうちの、前記混合領域における前記前景オブジェクト成分と前記背景オブジェクト成分の混合比を、前記有意情報として抽出する
ことを特徴とする請求項１に記載の信号処理装置。
【請求項１７】
前記信号処理手段は、前記有意情報に基づいて、前記射影により前記第２の信号に生じている歪の量を調整する歪量調整手段をさらに備えることを特徴とする請求項１６に記載の信号処理装置。
【請求項１８】
前記歪量調整手段は、前記歪の量を低減する
ことを特徴とする請求項１７に記載の信号処理装置。
【請求項１９】
前記歪量調整手段は、前記歪を除去する
ことを特徴とする請求項１７に記載の信号処理装置。
【請求項２０】
前記歪が、前記前景オブジェクトに生じている動きボケである
ことを特徴とする請求項１７に記載の信号処理装置。
【請求項２１】
前記信号処理手段は、前記前景オブジェクトの動き量を検出するオブジェクト動き検出手段をさらに備え、
前記歪量調整手段は、前記前景オブジェクトの動き量に基づいて、前記歪である動きボケの量を調整する
ことを特徴とする請求項２０に記載の信号処理装置。
【請求項２２】
前記信号処理手段は、前記第２の信号に基づいて、前記混合比を前記有意情報として抽出し、
前記信号処理手段は、前記第２の信号から、前記前景領域と前記背景領域と前記混合領域とを示す領域情報を、前記有意情報として抽出する
ことを特徴とする請求項１６に記載の信号処理装置。
【請求項２３】
前記信号処理手段は、前記混合比と前記領域情報とに基づいて、前記前景オブジェクト成分のみからなる前記前景オブジェクトと前記背景オブジェクト成分のみからなる前記背景オブジェクトとを分離する
ことを特徴とする請求項２２に記載の信号処理装置。
【請求項２４】
前記信号処理手段は、前記前景オブジェクトに生じている前記歪である動きボケを調整する歪量調整手段をさらに備えることを特徴とする
請求項２３に記載の信号処理装置。
【請求項２５】
前記信号処理手段は、前記前景オブジェクトの動き量を検出するオブジェクト動き検出手段をさらに備え、
前記歪量調整手段は、前記前景オブジェクトの動き量に基づいて、前記歪である動きボケの量を調整する
ことを特徴とする請求項２４に記載の信号処理装置。
【請求項２６】
前記信号処理手段は、前記前景オブジェクトを任意の背景画像と合成する
ことを特徴とする請求項２３に記載の信号処理装置。
【請求項２７】
第１の次元を有する現実世界の信号である第１の信号が、センサに射影され、前記センサによって検出することで得た前記第１の次元より少ない第２の次元の第２の信号を取得する取得ステップと、
前記第２の信号に基づく信号処理を行うことにより、射影により埋もれた有意情報を前記第２の信号から抽出する信号処理ステップと
を含むことを特徴とする信号処理方法。
【請求項２８】
第１の次元を有する現実世界の信号である第１の信号が、センサに射影され、前記センサによって検出することで得た前記第１の次元より少ない第２の次元の第２の信号を取得する取得ステップと、
前記第２の信号に基づく信号処理を行うことにより、射影により埋もれた有意情報を前記第２の信号から抽出する信号処理ステップと
を含むことを特徴とするコンピュータが読み取り可能なプログラムが記録されている記録媒体。
【請求項２９】
第１の次元を有する現実世界の信号である第１の信号をセンサによって検出することにより得た、前記第１の次元に比較し次元が少ない第２の次元を有し、前記第１の信号に対する歪を含む第２の信号を取得する取得手段と、
前記第２の信号に基づく信号処理を行うことにより、前記第２の信号に比して前記歪の軽減された第３の信号を生成する信号処理手段と
を備えることを特徴とする信号処理装置。
【請求項３０】
前記センサは、それぞれ前記歪である時間積分効果を有する複数の検出素子から成るセンサであって、
前記取得手段は、前記センサによって検出された個々の前記検出素子に対応する複数の検出信号を前記第２の信号として取得し、
前記信号処理手段は、前記第２の信号に基づく信号処理を行うことにより、時間積分効果が軽減された、前記複数の検出信号に対応する複数のサンプルデータから成る前記第３の信号を生成する
ことを特徴とする請求項２９に記載の信号処理装置。
【請求項３１】
前記信号処理手段は、現実世界における第１のオブジェクトと、前記第１のオブジェクトに対して相対的に移動する第２のオブジェクトとを前記センサで検出した場合、前記第２の信号によって表される前記第１のオブジェクトと前記第２のオブジェクトとの境界近傍において、前記センサの時間積分効果によって生じた前記第１のオブジェクトと前記第２のオブジェクトとの混合による歪を前記信号処理により軽減する
ことを特徴とする請求項３０に記載の信号処理装置。
【請求項３２】
前記取得手段は、所定時間単位ごとに前記センサの複数の検出素子で検出された、複数の前記時間単位の前記検出信号を取得し、
前記信号処理手段は、複数の前記時間単位の前記検出信号に基づいて、所望の前記時間単位に対応する前記第２の信号によって表される前記第１のオブジェクトと前記第２のオブジェクトとの境界近傍における歪を、前記信号処理により軽減する
ことを特徴とする請求項３１に記載の信号処理装置。
【請求項３３】
前記信号処理手段は、現実世界における第１のオブジェクトと、前記第１のオブジェクトに対して相対的に移動する第２のオブジェクトとを前記センサで検出した場合、前記第２の信号において混合されている前記第１のオブジェクトおよび前記第２のオブジェクトから、前記第１のオブジェクトおよび前記第２のオブジェクトのいずれか一方を分離して、分離された前記第１のオブジェクトおよび前記第２のオブジェクトのいずれか一方を前記第３の信号として出力する
ことを特徴とする請求項３０に記載の信号処理装置。
【請求項３４】
前記センサは、前記第１の信号である、光を含む電磁波を光電変換により前記第２の信号である画像信号に変換する
ことを特徴とする請求項２９に記載の信号処理装置。
【請求項３５】
前記センサは、温度を測定するサーモグラフィ装置である
ことを特徴とする請求項２９に記載の信号処理装置。
【請求項３６】
前記センサは、圧力センサである
ことを特徴とする請求項２９に記載の信号処理装置。
【請求項３７】
前記センサは、所定時間間隔毎に前記第２の信号を生成する
ことを特徴とする請求項２９に記載の信号処理装置。
【請求項３８】
前記センサが、それぞれ空間積分効果を有する複数の検出素子を有するセンサであって、
前記取得手段は、前記センサによって検出された個々の前記検出素子に対応する複数の検出信号を前記第２の信号として取得し、
前記信号処理手段は、前記第２の信号に基づく信号処理を行うことにより、前記歪である射影による空間積分効果が軽減された複数の検出信号からなる前記第３の信号を生成する
ことを特徴とする請求項２９に記載の信号処理装置。
【請求項３９】
前記センサは、前記複数の検出素子が少なくとも１つの方向である所定の方向に複数個配置されており、
前記信号処理手段は、
前記第２の信号の各サンプルデータに対して、前記所定の方向において隣接する前記第２の信号の２つのサンプルデータとの間の相関をそれぞれ検出する相関検出手段と、
各注目サンプルデータに対して、前記隣接する２つのサンプルデータの内、前記相関の大きいほうのサンプルデータのサンプル値に基づいて、前記相関の大きいサンプルデータ側のサンプル値となる第１のサンプル値を生成し、前記注目サンプルデータのサンプル値と前記第１のサンプル値とに基づいて、前記相関の小さい側のサンプル値となる第２のサンプル値を生成し、前記第１のサンプル値と前記第２のサンプル値を前記注目サンプルに対応する前記第３の信号の２つのサンプル値として出力する倍密サンプル生成手段と
を備えることを特徴とする請求項３８に記載の信号処理装置。
【請求項４０】
前記センサは、複数の前記検出素子がマトリクス状に配置されており、
前記所定の方向は、前記マトリクス状の配置における水平方向および垂直方向の少なくとも一方である
ことを特徴とする請求項３９に記載の信号処理装置。
【請求項４１】
前記信号処理手段は、水平方向および垂直方向の両方向について倍密化する
ことを特徴とする請求項４０に記載の信号処理装置。
【請求項４２】
前記相関は、前記サンプルデータの差分である
ことを特徴とする請求項３９に記載の信号処理装置。
【請求項４３】
前記取得手段は、前記複数の検出素子から所定時間毎に前記第２の信号を取得する
ことを特徴とする請求項３９に記載の信号処理装置。
【請求項４４】
第１の次元を有する現実世界の信号である第１の信号をセンサによって検出することにより得た、前記第１の次元に比較し次元が少ない第２の次元を有し、前記第１の信号に対する歪を含む第２の信号を取得する取得ステップと、
前記第２の信号に基づく信号処理を行うことにより、前記第２の信号に比して前記歪の軽減された第３の信号を生成する信号処理ステップと
を含むことを特徴とする信号処理方法。
【請求項４５】
第１の次元を有する現実世界の信号である第１の信号をセンサによって検出することにより得た、前記第１の次元に比較し次元が少ない第２の次元を有し、前記第１の信号に対する歪を含む第２の信号を取得する取得ステップと、
前記第２の信号に基づく信号処理を行うことにより、前記第２の信号に比して前記歪の軽減された第３の信号を生成する信号処理ステップと
を含むことを特徴とするコンピュータが読み取り可能なプログラムが記録されている記録媒体。
【手続補正２】
【補正対象書類名】明細書
【補正対象項目名】００５３
【補正方法】削除
【補正の内容】
【手続補正３】
【補正対象書類名】明細書
【補正対象項目名】００５４
【補正方法】削除
【補正の内容】
【手続補正４】
【補正対象書類名】明細書
【補正対象項目名】００５５
【補正方法】削除
【補正の内容】
【手続補正５】
【補正対象書類名】明細書
【補正対象項目名】００５６
【補正方法】削除
【補正の内容】
【手続補正６】
【補正対象書類名】明細書
【補正対象項目名】００５７
【補正方法】削除
【補正の内容】
【手続補正７】
【補正対象書類名】明細書
【補正対象項目名】００５８
【補正方法】削除
【補正の内容】
【手続補正８】
【補正対象書類名】明細書
【補正対象項目名】００５９
【補正方法】削除
【補正の内容】
【手続補正９】
【補正対象書類名】明細書
【補正対象項目名】００６０
【補正方法】削除
【補正の内容】
【手続補正１０】
【補正対象書類名】明細書
【補正対象項目名】００６１
【補正方法】削除
【補正の内容】
【手続補正１１】
【補正対象書類名】明細書
【補正対象項目名】００６２
【補正方法】削除
【補正の内容】
【手続補正１２】
【補正対象書類名】明細書
【補正対象項目名】００６３
【補正方法】削除
【補正の内容】
【手続補正１３】
【補正対象書類名】明細書
【補正対象項目名】００６４
【補正方法】削除
【補正の内容】
【手続補正１４】
【補正対象書類名】明細書
【補正対象項目名】００６５
【補正方法】削除
【補正の内容】
【手続補正１５】
【補正対象書類名】明細書
【補正対象項目名】００６６
【補正方法】削除
【補正の内容】
【手続補正１６】
【補正対象書類名】明細書
【補正対象項目名】００６７
【補正方法】削除
【補正の内容】
【手続補正１７】
【補正対象書類名】明細書
【補正対象項目名】００７０
【補正方法】削除
【補正の内容】
【手続補正１８】
【補正対象書類名】明細書
【補正対象項目名】００７１
【補正方法】削除
【補正の内容】
【手続補正１９】
【補正対象書類名】明細書
【補正対象項目名】００７２
【補正方法】削除
【補正の内容】
【手続補正２０】
【補正対象書類名】明細書
【補正対象項目名】０６３６
【補正方法】削除
【補正の内容】
【手続補正２１】
【補正対象書類名】明細書
【補正対象項目名】０６３７
【補正方法】削除
【補正の内容】
【手続補正２２】
【補正対象書類名】明細書
【補正対象項目名】０６３８
【補正方法】削除
【補正の内容】